(57)【要約】【課題】ユーザーの生理的な反応を感知し、その情報をゲーム機に送信することができるコントローラを提供する。【解決手段】ケースと、該ケースの表面に設けられた複数のファンクションキーと、ミニハンドルと、二つのミニボタンとを含む線性のボタンユニットと、モデル切り替えデジタル型ボタンユニットと、電池ユニットと、ケーブルコネクタと、生理反応感知ボタンユニットと、内部に設けられた集積回路とを含んでなり、生理反応感知ボタンユニットが心拍感知器と、湿度感知器と、握力感知器と、音声感知器と、を含んでなり、ユーザーが操作すると、ゲーム進行中のユーザーの生理状況の変化を感知し、感知した変化値をゲーム機に送信し、ゲーム機のプログラムがゲーム内容に情報を反映させるため、ユーザーとゲーム機との相互コミュニケーションが達成される構造からなる。【選択図】図１
0003131833.tif 000002
【実用新案登録請求の範囲】
【請求項１】
ケースと、
該ケースの表面に設けられた複数のファンクションキーと、ミニハンドルと、  二つのミニボタンとを含む線性のボタンユニットと、
モデル切り替えデジタル型ボタンユニットと、
電池ユニットと、
ケーブルコネクタと、
生理反応感知ボタンユニットと、
内部に設けられた集積回路とを含んでなり、
該生理反応感知ボタンユニットが心拍感知器と、湿度感知器と、握力感知器と、音声感知器と、を含んでなり、ユーザーが操作すると、ゲーム進行中のユーザーの生理状況の変化を感知し、感知した変化値をゲーム機に送信し、ゲーム機のプログラムがゲーム内容に情報を反映させるため、ユーザーとゲーム機との相互コミュニケーションが達成される構造からなることを特徴とするコントローラー。
【請求項２】
前記集積回路が中央処理装置、第一出入力端と、プログラム保存手段と、電源回路と、通信協議発生手段と、線性／デジタル転換手段と、第二出入力端とを含んでなることを特徴とする請求項１に記載のコントローラー。
【請求項３】
前記集積回路がワイヤレス送受信モジュールを含んでなり、ゲーム機にワイヤレス送受信コネクタを設けると情報を伝達することができる構造からなることを特徴とする請求項１に記載のコントローラー。
【考案の詳細な説明】
【技術分野】
【０００１】
この考案は、コントローラーに関し、特にコミュニケーション型のゲーム機用コントローラーに関する。
【背景技術】
【０００２】
主流、あるいは非主流に関わらず、市場で販売されているゲーム機でゲームをする場合、画面には豊富な内容のストーリーが展開し、ゲームの主人公が歩く、走る、飛ぶなど様々な動きを行う。また、ゲームの主人公が様々な道具を交換するなどユーザーとゲーム機とのコミュニケーションの過程ではいずれも、ゲーム機に接続したコントローラーのファンクションキーをユーザーが操作して、ユーザーの意志をゲーム機のプログラムに伝達し、プログラムが比較判断して、ユーザーの意志に合わせてゲームの主人公に異なる動きをさせる。
【０００３】
よって、ゲーム機にコントローラーがないということは、タイヤのないエンジン、ハンドルのない車と同様、どこへもいくことができず、即ち、ゲーム機とコミュニケーションをすることができない。このため、コントローラーはゲーム機に欠かせない非常に重要な部材になっている。
【０００４】
市場で販売されているゲーム機を見ると、コントローラーはケーブルを介してゲーム機と一体に接続される。この数年のゲーム機はいずれも、従来のものと差がなく、機能面での進歩がないだけでなく、外見でも大して変化がなかった。
【０００５】
ゲーム機の関連業者が行った改良では、ゲーム機とコントローラーの接続を従来のゲーブルを介した出入力型からワイヤレス型にしただけである。
【０００６】
コントローラーの設計は、外観が単純なものから装飾的なものへ、機能が簡単なものから複雑なものへ、情報伝達が単方向から双方向になった。
【０００７】
しかしながら、これらの改良ではゲーム機のプログラムにおける主人公の動きの調節を難しくなり、ゲーム機とコントローラーとの組み合わせをより精密して使用しなければならなくなっただけで、ユーザーがゲームを行っている時の心理状態、或いは体調などがゲームの内容に反応されることはほとんどなく、経験に基づいて推量され、反映するだけだった。
【考案の開示】
【考案が解決しようとする課題】
【０００８】
そこで、ゲーム機のソフトウェアが自動的にユーザーの生理的な反応を考慮し、適宜にプログラムを修正して、ゲーム用ソフトウェアとユーザーとの間でコミュニケーションを行うため、ユーザーの生理状態を感知して情報を送信するコントローラーの開発が期待されていた。
【０００９】
この考案は、ユーザーの生理的な反応を感知し、その情報をゲーム機に送信することができるコントローラを提供することを課題とする。
【課題を解決するための手段】
【００１０】
そこで、本考案の考案者は従来の技術に見られる欠点に鑑みて鋭意研究を重ねた結果、ケースと、
該ケースの表面に設けられた複数のファンクションキーと、ミニハンドルと、  二つのミニボタンとを含む線性のボタンユニットと、
モデル切り替えデジタル型ボタンユニットと、
電池ユニットと、
ケーブルコネクタと、
生理反応感知ボタンユニットと、
内部に設けられた集積回路とを含んでなり、
該生理反応感知ボタンユニットが心拍感知器と、湿度感知器と、握力感知器と、音声感知器と、を含んでなり、ユーザーが操作すると、ゲーム進行中のユーザーの生理状況の変化を感知し、感知した変化値をゲーム機に送信し、ゲーム機のプログラムがゲーム内容に情報を反映させるため、ユーザーとゲーム機との相互コミュニケーションが達成される構造からなる。
【００１１】
以下、この考案について具体的に説明する。
請求項１に記載するコントローラーは、ケースと、
該ケースの表面に設けられた複数のファンクションキーと、ミニハンドルと、  二つのミニボタンとを含む線性のボタンユニットと、
モデル切り替えデジタル型ボタンユニットと、
電池ユニットと、
ケーブルコネクタと、
生理反応感知ボタンユニットと、
内部に設けられた集積回路とを含んでなり、
該生理反応感知ボタンユニットが心拍感知器と、湿度感知器と、握力感知器と、音声感知器と、を含んでなり、ユーザーが操作すると、ゲーム進行中のユーザーの生理状況の変化を感知し、感知した変化値をゲーム機に送信し、ゲーム機のプログラムがゲーム内容に情報を反映させるため、ユーザーとゲーム機との相互コミュニケーションが達成される構造からなる。
【００１２】
請求項２に記載のコントローラーは、  請求項１における集積回路が中央処理装置、第一出入力端と、プログラム保存手段と、電源回路と、通信協議発生手段と、線性／デジタル転換手段と、第二出入力端とを含んでなる。      
【００１３】
請求項３に記載のコントローラーは、  請求項１における集積回路がワイヤレス送受信モジュールを含んでなり、ゲーム機にワイヤレス送受信コネクタを設けると情報を伝達することができる構造からなる。
【考案の効果】
【００１４】
この考案のコントローラーは、ゲーム中のユーザーの体、生理状況をゲーム機に伝達してユーザーとゲーム機の相互コミュニケーションの目的を達成するという効果を有する。
【考案を実施するための最良の形態】
【００１５】
この考案は、ユーザーの生理的な反応を感知し、その情報をゲーム機に送信することができるコントローラであって、ケースと、
該ケースの表面に設けられた複数のファンクションキーと、ミニハンドルと、  二つのミニボタンとを含む線性のボタンユニットと、
モデル切り替えデジタル型ボタンユニットと、
電池ユニットと、
ケーブルコネクタと、
生理反応感知ボタンユニットと、
内部に設けられた集積回路とを含んでなり、
該生理反応感知ボタンユニットが心拍感知器と、湿度感知器と、握力感知器と、音声感知器と、を含んでなり、ユーザーが操作すると、ゲーム進行中のユーザーの生理状況の変化を感知し、感知した変化値をゲーム機に送信し、ゲーム機のプログラムがゲーム内容に情報を反映させるため、ユーザーとゲーム機との相互コミュニケーションが達成される構造からなる。
かかるコントローラーの構造と特徴を詳述するために具体的な実施例を挙げ、図示を参照にして以下に説明する。
【実施例】
【００１６】
図１は、この考案のコントローラーの電気回路を示した説明図である。図面によれば、この考案の電気回路は、中央処理装置１０と、該中央処理装置１０と外部に設けられるモデル切り替えデジタル型ボタンユニット２１とにそれぞれ接続する第一出入力端１１と、該中央処理装置１０に接続して関連する応用プログラムとプログラムを保存するために供するプログラム保存手段１２と、外部に設けられる電池ユニット２２とケーブルコネクタ２３と内部の中央処理装置１０とにそれぞれ接続し、電力を補填する電源回路１３と、ケーブルコネクタ２３を通してゲーム機との間の特定の通信メカニズムを中央処理装置１０に提供するために供する通信協議発生手段１４と、第二出入力端１６と中央処理装置１０とにそれぞれ接続し、予めプログラム保存手段１２内に保存した順序に沿ってデジタル信号に転換し、ケーブル、或いはワイヤレス方式でゲーム機に情報を送信する線性／デジタル転換手段１５と、中央処理装置１０と線性／デジタル転換手段１５と、外部に設けられる線性式のボタンユニット２００とを含んでなる。また、心拍信号感知器２４１と、湿度感知器２４２と、握力感知器２４３と、音声感知器２４４とを設ける。
【００１７】
ユーザーがコントローラー１を使用する時、ゲームの進行中のユーザーの生理状況の変化を随時感知するとともに、感知した変化の値をゲーム機に送信する。ゲーム機に内臓されたプログラムが適宜に反応してゲーム上にユーザーの生理状況を反映させて、ユーザーとゲーム機の相互コミュニケーションの目的を達成する。
【００１８】
図２は、この考案のコントローラーの外観を示した説明図である。この考案のコントローラーは、ゲームをスムーズに進行させるために使用し、ゲーム機とケーブル、あるいはワイヤレスで接続される。
【００１９】
該コントローラー１は、ケース２０と、該ケース２０表面に従来のものと同様に設けられた複数のファンクションキー２０１と、ミニハンドル２０２と、二つのミニコントローラー２０３などを含む線性のボタンユニット２００が設けられる。また、この実施例では特にモデル切り替えデジタル型ボタンユニット２１、電池ユニット２２、ケーブルコネクタ２３、生理反応感知ボタンユニット２４を増設する。
【００２０】
該生理反応感知ボタンユニット２４は、心拍信号感知器２４１と、湿度感知器２４２と、握力感知器２４３と、音声感知器２４４とを含んでなり、軽量で薄型の金属片を貼着したものであって、第二出入力端１６に接続する。
【００２１】
また、該コントローラー１はユーザーが握る時に便利なように人体工学的に設計されている。該コントローラー１はユーザーが手で握る部分に心拍信号感知器２４１、湿度感知器２４２、握力感知器２４３、音声感知器２４４が設けられる。
【００２２】
よって、ゲーム進行中、コントローラー１の生理反応感知ボタンユニット２４の複数の薄型金属片がユーザーの両手と完全に接触すると、ユーザーの身体、生理的な反応がコントローラー１内の中央処理装置１０に情報が正確に送信される。それぞれ異なる信号が合わさり転換されて、ケーブル、あるいはワイヤレス方式でゲーム機に送信され、ゲーム機のプログラムを介してゲームのキャラクターが変化してユーザーとゲームとの相互コミュニケーションの目的が達成される。
【００２３】
上述のコミュニケーション型ゲーム機のコントローラーは、ユーザーがコントローラーを操作してゲーム機のプログラムが操作される時、コントローラー１上のモデル切り替えデジタル型ボタンユニット２１と、線性のボタンユニット２００によりモニターの目標物の様々な動作を制御する。
【００２４】
心拍信号感知器２４１、湿度感知器２４２、握力感知器２４３、音声感知器２４４などの生理反応感知ボタンユニット２４をユーザーが握ると、上述の項目におけるユーザーの様々な変化の値を測定し、心拍数が上昇する、手に汗をかく、握力の大きさ、声の大きさなどを含む興奮した状況の情報をゲーム機に送信し、第二出入力端１６を介して線性／デジタル転換手段１５でプログラム保存手段１２内に保存されたプログラムによりデジタル信号に転換される。また、通信協議発生手段１４に送信されてゲーム機とコントローラー１間の相互コミュニケーションできる信号のモデルに合わせられるため、情報の交換に便利でゲーム機に情報が送信され、ゲームに反映される。
【００２５】
図３は、コミュニケーション型ゲーム機のコントローラーのもう１つの実施例を示した説明図である。この実施例ではコントローラー１とゲーム機がワイヤレスで接続されている。操作する場合、コントローラー１の内部にワイヤレス送受信モジュール１７を設け、ゲーム機の端縁部の開口に小型で精密なワイヤレス送受信コネクタを挿入する。
【００２６】
よって、ユーザーがコントローラー１を使用すると、ワイヤレス通信を行うコントローラー１が随時、ゲーム進行中のユーザーの体、生理状況の変化を感知するとともに、その情報をゲーム機に送信し、ゲーム機のプログラムがゲームの内容に反映させるため、ユーザーとゲーム機のコミュニケーションが達成される。
【００２７】
電源供給では、ゲーム機がケーブルコネクタ２３に設けたケーブルを介して情報の送受信を行う場合、コントローラー１の電力はゲーム機から供給される。また、ワイヤレス送受信モジュール１７でコントローラー１とゲーム機が接続されている場合、コントローラー１の内部に設けられた電池ユニット２２で電力の供給を行う。
【００２８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００２９】
【図１】この考案のコントローラの回路図を示した説明図である。
【図２】この考案のコントローラを示した説明図である。
【図３】この考案のもう１つのコントローラを示した説明図である。
【符号の説明】
【００３０】
１ コントローラー
１０ 中央処理装置
１１ 第一出入力端
１２ プログラム保存手段
１３ 電源回路
１４ 通信協議発生手段
１５ 線性／デジタル転換手段
１６ 第二出入力端
１７ ワイヤレス送受信モジュール
２０ ケース
２００ ボタンユニット
２０１ ファンクションキー
２０２ ミニハンドル
２０３ ミニコントローラー
２１ デジタル型ボタンユニット
２２ 電池ユニット
２３ ケーブルコネクタ
２４ 生理反応感知ユニット
２４１ 心拍信号感知器
２４２ 湿度感知器
２４３ 握力感知器
２４４ 音声感知器
【図１】
0003131833.tif 000003
【図２】
0003131833.tif 000004
【図３】
0003131833.tif 000005